(57)【要約】【課題】豪雨が発生したあとでも掻寄手段を高いレベルに回避させておくことでその後も装置を掻寄駆動可能となり、そのことから人的作業が一切必要なく該装置をそのまま利用して掻寄が可能になるようにした沈砂掻寄装置を提供することにある。【解決手段】揚砂手段が臨み得る集砂ピットを備えた水路内をその長手方向に進行して水路内に堆積する沈砂を集砂ピットの方向へ掻き寄せて同ピット内に落とす掻寄手段を備えてなる沈砂掻寄装置であって、前記掻寄手段は、低いレベルと高いレベルに高さ変更可能に構成されていることを特徴とする。【選択図】図１
2008212760.tif 000002
【特許請求の範囲】
【請求項１】
揚砂手段が臨み得る集砂ピットを備えた水路内をその長手方向に進行して水路内に堆積する沈砂を集砂ピットの方向へ掻き寄せて同ピット内に落とす掻寄手段を備えてなる沈砂掻寄装置であって、前記掻寄手段は、低いレベルと高いレベルに高さ変更可能に構成されていることを特徴とする沈砂掻寄装置。
【請求項２】
請求項１に記載のものにおいて、掻寄手段は板状のスクレーパでなり、同スクレーパは、水路の長手方向に向けて設けられ昇降駆動手段により昇降可能とされた昇降ビームに沿って進退駆動手段により水路の長手方向に進退可能とされた機体に設けられていることを特徴とする沈砂掻寄装置。
【請求項３】
請求項２に記載のものにおいて、スクレーパは、一定の掻寄力を残して後方へ逃げ動作可能に構成されていることを特徴とする沈砂掻寄装置。
【請求項４】
請求項２または３に記載のものにおいて、昇降ビームは単一本型である沈砂掻寄装置。
【発明の詳細な説明】
【技術分野】
【０００１】  本発明は、下水処理施設や浄水施設などの水処理施設において沈澱する沈砂を掻き寄せて一定の集砂ピットへ持ち込むために構成される沈砂掻寄装置に関する。
【背景技術】
【０００２】  下水処理施設や浄水施設などの水処理施設においては、流入してくる下水や取水した原水から沈砂を除去するため沈砂池が設けられている。こうした沈砂を取り除くため、例えば、循環駆動可能なチェーンフライト式の沈砂掻寄装置が同沈砂池内に構成される。
【発明の開示】
【発明が解決しようとする課題】
【０００３】  しかし、従来の沈砂掻寄装置は、その全体が水路底にフライトが循環してくるように高さの固定された形式であったため、例えば、合流式下水道から水路内に流入してくる下水量が平常のごとく少ない場合には問題はないが、近年みられる記録的短時間大雨等の豪雨が発生した場合には一気に沈砂池内に多水量が流れ込んで沈砂量の方も激増し、そうした場合前記固定型では即座に装置が埋没してしまってその後に装置を駆動することができなくなり、それがため、人的作業により沈砂除去して対処するしか方法がなかった。
上記に鑑み、本発明は、豪雨で沈砂池に多量の沈砂が堆積したあとでもそれに関せず常に装置を駆動可能で人的作業の必要がなくなるようにした沈砂掻寄装置を提供することにある。
【課題を解決するための手段】
【０００４】  上記課題を解決するため、請求項１記載の発明は、揚砂手段が臨み得る集砂ピットを備えた水路内をその長手方向に進行して水路内に堆積する沈砂を集砂ピットの方向へ掻き寄せて同ピット内に落とす掻寄手段を備えてなる沈砂掻寄装置であって、前記掻寄手段は、低いレベルと高いレベルに高さ変更可能に構成されていることを特徴とする。
請求項２に記載の発明は、請求項１に記載のものにおいて、掻寄手段は板状のスクレーパでなり、同スクレーパは、水路の長手方向に向けて設けられ昇降駆動手段により昇降可能とされた昇降ビームに沿って進退駆動手段により水路の長手方向に進退可能とされた機体に設けられていることを特徴とする。
請求項３に記載の発明は、請求項２に記載のものにおいて、スクレーパは、一定の掻寄力を残して後方へ逃げ動作可能に構成されていることを特徴とする。
請求項４に記載の発明は、請求項２または３に記載のものにおいて、昇降ビームは単一本型である。
【発明の効果】
【０００５】  本発明によれば、揚砂手段が臨み得る集砂ピットを備えた水路内をその長手方向に進行して水路内に堆積する沈砂を集砂ピットの方向へ掻き寄せて同ピット内に落とす掻寄手段を備えてなる沈砂掻寄装置であって、前記掻寄手段は、低いレベルと高いレベルに高さ変更可能に構成されていることを特徴とするので、豪雨が発生したあとでも掻寄手段を高いレベルに回避させておくことでその後も装置を掻寄駆動可能となり、そのことから人的作業が一切必要なく該装置をそのまま利用して掻寄が可能になるようにした沈砂掻寄装置を提供することができる。
【発明を実施するための最良の形態】
【０００６】  以下の各実施形態で説明する個々の提案例は他の実施形態にも適用されるものとする。
図１（図２のＩ−Ｉ線断面図）、図２（図１のＩＩ−ＩＩ線断面図）および図３（図１のＩＩＩ−ＩＩＩ線断面図）は、本発明に係る沈砂掻寄装置の一実施形態を示し、これらの図において、１は沈砂池の１つを示すもので、同沈砂池１は、左右の側壁２と上壁３および極緩やかな第１底壁４・第２底壁５とを備える水路６を有し、底壁４の傾斜を下った個所には底付きＶ字形の集砂ピット７が形成されている。集砂ピット７内の表面には、粉砕攪拌時のコンクリート表面防護と粉砕攪拌効率向上のため、その前後の斜面および底面全体を一体的に覆うようにＳＵＳ製のピット保護板８が強固に固設されている。
尚、前記水路６は図１および図２の右あるいは左側方へ他の沈砂用の水路（トラフ）が存在する場合がある。
また、図示水路６と平行に他の水路が配列される場合もある。【０００７】  こうした沈砂池１の水路６内には、本発明にかかる沈砂掻寄装置Ａが装備されている。同装置Ａは、特に軽量簡略化のため単一本型とした昇降ビーム１０を備える。同昇降ビーム１０は、図３に示すように四角パイプあるいはＨ型鋼その他の部材を利用して形成され、その長手方向を水路幅間中央に合わせて高さＬ（図１）の低いレベルに設置されている。その一端は集砂ピット７の手前に位置させる一方、多端はそれより上流側（図１の右側）に伸びた高さＬの個所に位置されている。
尚、水路６の幅はここで３ｍ前後の狭幅な水路であることから、昇降ビーム１０は２０ないし３０ｃｍ□の角パイプ１本ものとしてある。水路幅が３ｍを超える広幅の池に対しては後述する（図９および図１０参照）。
また、前記昇降ビーム１０は、水路幅中央を通るようにして第１底壁４の傾斜と平行な傾斜状態に設定されている。【０００８】  昇降ビーム１０の両側には、アングル材である進退ガイド１１が設けられ、これらのガイド１１にローラー１２が転動ガイドされるようにして走行用の機体１３が前後に進退走行自在になっている。機体１３は、左右一対のアングル状本体１４と、これら本体１４の幅間を横方向につなぐ横連結材１５の前後複数本とを備えた梯子枠状体とされている。【０００９】  機体１３の底側には、横連結材１５の両端を介してスクレーパ軸１６に回転筒１７を介してスクレーパ（掻寄手段）１８が前後複数枚配備されている。これらスクレーパ１８は、水路幅より少し狭い板状のスクレーパ本体１９と、その前面下縁に沿って設けられたゴム板２０とにより構成されている。
スクレーパ１８は、その背面にウエイト２１を装備し、スクレーパ１８が沈砂に臨むと沈砂に強引に喰い込むのでなく多少逃げながらも一定の掻寄力を保持しながら掻き寄せるように構成されている一方、数回の掻寄でスクレーパ１８が第１底壁４上に干渉しても同スクレーパ１８により底壁４に損傷を与えないように逃げ動作可能なものとして機能するものである。【００１０】  こうしたスクレーパ１８付き機体１３は、昇降ビーム１０に沿って進退されるが、その進退駆動の構造は、次のようになっている。
すなわち、昇降ビーム１０の長手方向中途には、中央支柱２３が立設されるとともに、同支柱２３の汚水流に浸漬しない上端には、駆動源（駆動モーターと減速機）２４により回転駆動される駆動ホイール２５が装備され、また、同支柱２３の基部前後には、アイドルホイール２６が設けられている。さらに、昇降ビーム１０の前後端には、端部ホイール２７がそれぞれ設けられている。そして、一端が機体１３の前端に取り付けられたワイヤーロープやリンクチェーンなどの牽引伝導材２８は、前端部ホイール２７からアイドルホイール２６を経由して駆動ホイール２５まわりに掛け回されたあと残るアイドルホイール２６から後端部ホイール２７を経由して機体１３の後部に結合されている。尚、駆動源２４の配電ケーブル２９は池上の配電ケーブル内まで伸縮の余裕をもって伸びている。【００１１】  この沈砂掻寄装置Ａは、流入水量の少ない場合はその水面前後の高さ（図１のＬ）にあり、タイマー制御あるいは堆積量センサー制御に応じて進退駆動される。図１のＬは、スクレーパ１８が沈砂Ｔに約５０〜１００ｍｍ程度入り込んだ状態のことをいい、特定値を指すのではなく掻寄レベルが順次下がってくるのでその値は変動するものである。
これらの制御に基づいて駆動源２４が一方向に駆動されると、機体１３は矢印Ｆ方向へ前進し、同駆動源２４が逆方向に駆動されると、機体１３は矢印Ｒ方向へ後退駆動される。
しかし、機体１３が前進しそのままで後退すると沈砂を掻き戻すおそれがあることから、ここで昇降ビーム１０の全体はＬレベルから掻き戻しのない高さまで少しだけ上昇されてのち機体１３は後退される。そして、後退したあとは、前回のＬレベルより少し下げながら順次沈砂を掻き寄せてゆくように制御される。【００１２】  ところで、昇降ビーム１０の上下運動は次の昇降駆動手段によりなされる。
昇降駆動手段は、池上の昇降駆動源３１と、昇降伝導軸３２と、昇降コラム３３とを備え、この実施形態では、昇降駆動源３１がモーター３４により回転駆動されるピニオン（内蔵のため図示省略）で構成され、昇降伝導軸３２がラックで構成されるとともに、昇降コラム３３が四角なパイプでなっている。こうした駆動は、ネジ軸をコラムとしそれをハンドルで昇降させる手動によることもある。【００１３】  昇降コラム３３は昇降ビーム１０の前後から立設される一方、同コラム３３は側壁２間に横架された固定梁３５の中途に固定された昇降ガイド３６内のローラーにより円滑に昇降するように構成されている。
尚、同実施形態では、固定梁３５間に昇降ガイド３６が連結固定される形になっているが、図１に仮想線で示すように、前後一対の固定梁３５，３５間に昇降ガイド３６が挟まれるようにして固定されるようにしてもよい。【００１４】  これら昇降駆動手段は、図１のように、前後一対配備され、制御盤３７により同時同調して昇降駆動制御されるようになっている。
沈砂掻寄装置は、前後一対の昇降駆動手段により吊り下げられ定位置を保つ昇降ガイド３６により池幅中央位置に規定されながら垂直に昇降し得るように構成されている。
図１ないし図３の実線は、平常水位時の掻寄前の状態を示し、昇降ビーム１０は、第１底壁４から高さＬ程浮いた状態とされ、このＬは、右から流入してくる矢印Ｘの流入水から堆積する沈砂Ｔに自然下降力でスクレーパ１８を乗り掛かるようにされる場合と、沈砂Ｔの深さ自動検知に基づき下降量が制御されてなされる場合がある。すなわち、スクレーパ１８が堆積量にマッチングした好適な掻き寄せが可能なように制御される。【００１５】  高さＬの状態で、実線状態（掻寄前の状態）から駆動源２４が駆動されると機体１３がＦ方向に前進し、スクレーパ１８は堆積した沈砂Ｔをウエイト２１による力を受けながら掻き寄せてゆく。その状態は図１に仮想線で示す。最前列のスクレーパ１８は掻き寄せた沈砂Ｔを集砂ピット７内に掻き落とし、その他（２枚目以降）のスクレーパ１８…は沈砂Ｔを前方途中へと掻き寄せる。この途中まで掻き寄せられた沈砂Ｔは前端のスクレーパ１８が後退復帰してのち次に前進することで全て前方の集砂ピット７へと掻き落とされる。【００１６】  すなわち、機体１３が図１の仮想線の前進端にくると、昇降源３１が駆動されて昇降ビーム１０がＬから少しだけ上昇駆動され、そのまま右方向へ復帰駆動される。従って、昇降ビーム１０は前進時よりも少し高いレベルで復帰するので沈砂Ｔの掻き戻しのおそれはなく次にかき寄せられることになる。スクレーパ１８の復帰後、昇降源３１によりスクレーパ１８…がＬより少し低いレベルまで下降駆動されてのち、駆動源２４によりスクレーパ１８は掻き寄せ方向Ｆに駆動される。また、１回掻寄したあとは次々に沈砂Ｔが堆積することを想定して昇降ビーム１０を図示実線の高さＬを保持したままで何回も掻寄動作するようにしてもよい（この場合、堆積量センサーで沈砂Ｔの堆積状況を把握して必要とされる場合のみスクレーパ１８を進退駆動させるように制御回路を構成することもできる）。【００１７】  一方、豪雨等による流入水の多量化が想定される場合、予め本沈砂掻寄装置Ａを高い位置Ｈ（図１）に退避させておくことで堆積してくる沈砂Ｔからの装置Ａの埋没を効果的に防止することができる。
すなわち、昇降駆動源３１を駆動させることで昇降伝導軸３２を介して昇降コラム３３が上昇し、昇降ビーム１０は昇降ガイド３６により平行を維持しつつ上昇するとともに機体１３もスクレーパ１８とともに上昇される。その結果、沈砂Ｔはその底域に堆積する。【００１８】  上昇位置Ｈを得た装置Ａは、その高さＨで前進しＨより少し高い位置を復帰することが基本形とされるが、一旦高さＨに退避させた装置Ａは、前記高さＬの場合と同様に制御されて順次沈砂Ｔの掻寄を行う。【００１９】  尚、前記スクレーパ１８の上寄りには、図１の下側左欄に示すように、上リブ３９を水平などとして突設してもよい。この場合、上リブ３９に積極的にウエイト機能を持たせることができるとともに、矢印のように機体１３側に当たって一定以上は逃げないように作用するストッパ機能を持たせることもできる。また、スクレーパ１８は、同図破線矢印で示すように、復帰時に逃げ動作自在にしておけば前記説明のように復帰時に高さＬから敢えて上昇駆動させる必要もなくなり、その際、スクレーパ１８の下端は斜め跳ね上がり状に形成しておけば沈砂Ｔの掻き戻しのおそれは低くなる。さらに、図１の下側右欄に示すように、前後のスクレーパ１８…同士を連動杆４０でつないでおくこともできる。【００２０】  また、前記集砂ピット７内に臨む揚砂装置（揚砂手段）Ｂは、図１に示すように、垂直固定式とされている。同装置Ｂは、上壁３上に設置された設置フレーム４３と、同フレーム４３上に固定した減速機付きモーターでなる駆動部４４と、この駆動部４４で回転駆動される揚砂スクリュー４５と、下端を拡開状としスクリュー４５回りに設けた揚砂管４６とを備え、揚砂スクリュー４５の下端筒部は集砂ピット７の底面に固定した支持軸回りで回転自在に支持されているとともに、同下端筒部の外周には、複数本のアームの先に粉砕用のボールを上向き逃げ動作自在にヒンジ取付で付して回転自在とした粉砕攪拌部４７が構成される。
揚砂スクリュー４５が揚砂方向と逆の方向へ回転駆動されると、前記粉砕攪拌部４７により集砂ピット７内に導入されてくるものを粉砕しながら微細物として分離洗浄処理をし、揚砂方向への回転に伴いそれらの処理物を揚砂管４６内に導けるよう準備する。【００２１】  ４８は洗砂用水管、４９はエアー配管で、揚砂管４６の下部からそれぞれ洗砂用水とエアーを噴射混合して沈砂類と水とを分離しながら詰まりなく円滑に上昇させるようにするためのものである。５０は水切りパイプ、５１は分離水ホッパー、５２は洗浄槽で、洗浄槽５２からの砂のみが集積場へ搬送されるようになっている。
尚、前記実施形態では、図１のＸのように流入方向が指定されているが、同図矢印Ｙのように逆方向の場合もある。
また、前記昇降ビーム１０は第１底壁４に平行に設定されているが、水平に設定される場合もある。
さらに、前記スクレーパ１８は後向きに逃げる構成としてあったが、前後に回転しない固定式としたり、後ろ向きには逃げないが前向きには逃げ動作可能にすることもある。
また、前記実施形態では、機体１３を長くしスクレーパ１８を複数枚にしてあるが、短い機体に１枚のスクレーパ１８を備えたものにすることもある。【００２２】  図４および図５は他の実施形態を示す。同実施形態において５５は昇降ビーム５４に進退自在な機体で、左右一対のアングル型本体５６に固定筒５７…を横架固定して枠状となし、同機体５５に前後複数枚のスクレーパ５８をスクレーパ軸５９を介して配備してウエイト６０付のもので動作するようにしたものであって、特に、これらスクレーパ５８よりも前方には、回転軸６１を介して複数本のウエイト６２付開削爪６３…を装備したものである。【００２３】  この開削爪６３が先行して進行するので堆積して固結化しがちな沈砂Ｔをスクレーパ５８で掻寄しやすい状態にしてゆく。
尚、同図右上欄に示すように、細い開削爪６４にしてもよいし、それらの開削爪６４をつなぎバー６５でまとめて回転自在としてもよい。
また、先に走行する開削爪６３の開削跡Ｐに対し２段目の開削爪６３は図５のように横サイドにずれた関係に配置すると開削が有効化する。【００２４】  図６および図７は他の実施形態を示す。同実施形態は、昇降コラム６８を垂直にかつ実かつ円滑にガイドするための別の実施形態である。１本の昇降コラム６８に対しその前後を通るようにして側壁（図１の側壁２に相当する）間に一対の固定梁７０，７０を横架固定するとともに、これら固定梁７０の中途間を左右一対の連結材７１でつないで枠状となし、これら四角な枠部の４つの各コーナーを介して垂直なアングル材である支持材７２を溶接固定したもので、これらの支持枠７２を介して上下一対ずつの斜型ローラー７３を配備するとともに他の対向位置には樹脂製スライドブッシュ７４を上下一対ずつ配備して、角稜を図６の流入方向Ｘに向けた昇降コラム６８を支持したものである。【００２５】  この実施形態の昇降コラム６８は、図１ないし図３の実施形態の昇降コラム３３に対し４５度回転させた形になっているので、Ｘ流を受け流すだけでなく強度的に有利になる。
尚、図６および図７の実施形態で示す前後一対の固定梁７０でなる点、および連結材７１を組み合わせてそのコーナーに支持材７２を固定してローラーを受けるようにした点は図１ないし図３あるいは他の実施形態でも同様に適用することができる。【００２６】  図８は他の実施形態を示す。同実施形態は、昇降ビーム７６の昇降駆動手段である昇降伝導軸７７が昇降コラム７８に対してでなく中央支柱７９に対して結合されている点が異なる。８０は機体、８１はスクレーパ、８２は牽引伝導材、８３はホイールであり、これらについては前記実施形態と異なるところはない。８４は固定梁、８５は昇降ガイドである。
尚、前記昇降伝導軸７７はシリンダのロッドやネジ軸であってもよい。【００２７】  図９および図１０は他の実施形態を示す。沈砂池の幅が前記実施形態では３ｍ前後であったのに対しそれより広い池幅である場合にはこの実施形態のような広幅型の昇降ビーム８８を構成して安定化を図るようにする。
同昇降ビーム８８は、四角パイプでなる側材８９の一対間をつなぎ材９０で前後に亘って連結した枠状体とされ、つなぎ材９０上を介して昇降コラム９１を立設する一方、その側脇に進退ガイド９２を備え付けたものである。９３は機体で、アングル材でなる本体９４とその間をつなぐ横連結材９５…からなり、横連結材９５を利用してスクレーパ９６を固定あるいは回転自在に装備してある。したがって、広幅な昇降ビーム８８を介してスクレーパ９６付き機体９３を支持するので池幅が広くても安定な作動を保証する。この場合の広幅型の昇降ビーム８８もここで単一本型（モノレール型）とする。【００２８】  図１１は他の実施形態を示す。同実施形態は、油圧あるは水圧シリンダ９９を昇降駆動源として昇降ビーム１００を同調的に昇降自在とすることで中央支柱を省略し、さらに昇降ビーム１００に油圧モーター１０１とホイール１０２および牽引伝導材１０３を直接構成して中央支柱に駆動源を設ける構造を簡略化したものである。１０４は機体、１０５はスクレーパであるとともに１０６はゲージローラー、１０７は接地センサーをそれぞれ示す。スクレーパ１０５が接地センサー１０７により沈砂を捉えるときシリンダ９９は駆動を停止し、その後油圧モーター１０１の駆動により機体１０４が進退駆動される。復帰にはシリンダ９９による昇降がなされる。１０８は伸縮可能な油圧ホースである。【００２９】  図１２および図１３は他の実施形態を示す。同実施形態は、昇降ビーム１１１に進退自在とされるスクレーパ１１２付き機体１１３をシリンダ１１４により行うことで前記実施形態のようなホイールや牽引伝導材などを不要にして構造の簡略化を図ったものである。
尚、図１２に仮想線で示すように、スクレーパ１１２を前後に連鎖材１１５によりつなぐとともにスクレーパシリンダ１１６により垂直な掻寄状態と水平な復帰状態とが得られるように構成することで復帰時に昇降ビーム１１１を上げたり掻寄状態にするため下げたりする必要がなくなる。【００３０】  図１４は他の実施形態を示す。同実施形態は、沈砂池の水路内に駆動軸１１９と従動軸１２０を配備してそれらに設けたスプロケットホイール１２１…を介してチェーン１２２を駆動自在とするとともに、同チェーン１２２の外周に沈砂掻き寄せ用のフライト１２３…を多数枚配列したチェーンフライト式沈砂掻寄装置において、同装置から突出する軸１１９，１２０を介してシリンダ１２４により昇降駆動自在に構成したものである。この場合も前記実施形態と同様の目的をもつ。１２５は油圧モーターである。
尚、図１５に示すように、スプロケットホイール１２７が幅広状のものであっても適用することができる。【００３１】  図１６は付加的な提案例を示す。従来、冬季に寝室が寒くなるとストーブ・電気毛布・空調機などの暖房機器が必要となり、これが電力・資源の消費拡大を招くだけでなく地球温暖化の要因にもなっていた。
そのため、図１６に示すような吊り紐１３０で寝室内に吊設することのできる防寒被覆品Ｃを考えた。この被覆品Ｃは、四角（あるいは円や楕円）な天面１３１・４面の垂面１３２・裾部１３３からなり、全体は布やビニールなどにより断熱保温形生地で作られている。複層生地にしてもよい。【００３２】  天面１３１は四角な周骨（線条材やカーテンレール）１３４で保形型とされるとともに、この周骨１３４の４つのコーナーに前記吊り紐１３０の基部を結び付けてある。垂面１３２のうち１つの面には、縦割り開放状の出入り口１３５が形成され、この出入り口１３５は、内側に突帯状をなして伸び相対向する２葉の面ファスナー式閉止帯１３６により開閉自在とされるとともに、外部には、外から内空間へ入る際に閉止帯１３６を引き離しやすいように指を引っ掛けるループ１３７…を備える一方、内向きに突出する２条の閉止帯１３６は、共に同じ幅であると外へ出る際に指で開こうとしても開きにくいことから、その一方が幅が広く他方が狭いもので広い側に指を掛けるための孔１３８…を設けてそこに指を引っ掛けて開きやすいようにしてある。
そして、前記裾部１３３を通じても室内の冷気が侵入するおそれがあることから、同裾部１３３の底面には、上側面ファスナー１３９が設けられ、それに対する下側面ファスナー１４０が敷き材１４１上に四角な輪郭をもって設けられている。【００３３】  この例では被覆品Ｃ内の敷き材１４１上に和式寝具１４２が敷設されているが、内装品はベッドでもよく、またペットハウスでもよい。内部には電気こたつ・スタンド・ＴＶなどを設備して暖かくすることもできる。電気機器を使用するが従来のように室内全体を加温する目的のものでなく被覆品Ｃ内の極限られた空間のみを加温するためのものであるため消費電力も限られる。【００３４】  尚、出入り口１３５は二重構造にしてもよい。また、被覆品Ｃ自体はその内部が見えるように一部あるいは全体を透明にすることができる。【００３５】    図１７ないし図２０は、沈砂掻寄装置についての他の実施形態を示す。２００は沈砂池の１つを示すもので、同沈砂池２００は、左右の側壁２０１と上壁２０２および底壁２０３とを備える水路２０４を有し、底壁２０３における流入上流側（Ｘ側）には集砂ピット２０５が形成されて吸揚ポンプ２０６により集砂分が吸い上げられるようになっている。図示水路２０４と平行に他の水路が配列されているが、図ではそのうちの１水路を選択して示してある。【００３６】  こうした沈砂池２００の水路２０４内には、上流側と下流側に粗目バースクリーン２０７が配備され、これらのスクリーン２０７間に本発明にかかる沈砂掻寄装置が装備されている。
同装置は、梯子枠型でスリム化された機体であるとともに油圧駆動によって極く短いストロークでもって進退駆動されるようになっている。２０８はガイドレールで、山形（逆Ｔ字形）をなし長さが１．７ｍ前後とされたＳＵＳ製のレール本体２０９と、同本体２００９の上端に沿って固着された丸棒状の抜け防止バー２１０とで構成されるとともに、図２０の右下欄に示す取付座２１１を固着して備え、同座２１１にアンカー２１２を介して底壁２０３上に固定されるようになっている。【００３７】  こうしたガイドレール２０８は、池底中央ラインを基準にして左右対称ライン上に平行なる関係で配備されるとともに図１８に示すように集砂ピット２０５側から下流の粗目バースクリーン２０７手前位置まで前後に離間する関係で配備されている。図ではガイドレール２０８は前後に４個で左右に並列に配備されている。【００３８】  ２１４は機体で、左右の長いサイドバーとその間をつなぐ横連結材の複数本でなる梯子型をしたもので、同機体２１４のサイドバー各底面には、前後に４個ずつのスライダ２１５が取り付けられている。同スライダ２１５は、前記ガイドレール２０８に対応するもので、図２０の右下欄に示すように、抜け防止バー２１０及びレール本体２０９の立ち上がり辺に少しの余裕隙間をもって適合する下向き開放状で鍵穴形の嵌合溝２１６を有するとともに、スライダ２１５の底面には、レール本体２０９の底辺上にスライド自在な耐磨耗質樹脂製のスライド板２１７が取り付けられている。【００３９】  機体２１４のサイドバー上には、左右一対ずつの軸受２１９の複数組が前後に一定間隔で離間しながら配備され、これらの軸受２１９を介してスクレーパ軸２２０がそれぞれ貫通して回転自在に設けられている。尚、軸受２１９は上下分割式で合体型とされている。【００４０】  前記スクレーパ軸２２０には、機体２１４のサイドバー間に位置する１枚の羽根部分と機体２１４の両外側方に位置する左右一対の羽根部分の合計３枚で１枚を構成するスクレーパ２２１が軸２２０と同行回転可能に一体化されている。これらスクレーパ２２１の前後の間隔はここでＬとされている。【００４１】  各スクレーパ軸２２０の幅方向中間個所には、図２０に示すように、同軸２２０と同行回転する下部ボス２２２が取り付けられるとともに、同ボス２２２には前傾姿勢と後傾姿勢をとることのできる連動アーム２２３が突設されている。このアーム２２３の各上端には上部ボス２２４が取り付けられ、これら前後に並ぶ上部ボス２２４…は１本の連動杆２２５で連結されている。【００４２】  そして、前記連結杆２２５の上流側先端には、受け体２２６上に固定した油圧シリンダ２２７のロッド２２８が連結されている。【００４３】  流入水は図１８の矢印Ｘから流入しており、図１８ないし図２０の実線で示す状態は沈砂を集砂ピット２０５の方向Ｆへ掻き寄せてその先端のスクレーパ２２１により沈砂を集砂ピット２０５内に落とし込んだあとの状態を示している。この状態は、油圧シリンダ２２７のロッド２２８を引き駆動させることで複数枚のスクレーパ２２１…を垂直にし図１８のＦ方向に機体２１４をストロークＳ分程前進させることで得られる。この場合、ストロークＳはスクレー���２２１…の間隔Ｌよりも長く設定されているので、あるスクレーパ２２１（ａ）はそれより後方（図１８の左側方）のスクレーパ２２１（ｂ）が前段階で掻き寄せておいた沈砂分を前方へと１段階掻き寄せるように作用し、そうした繰り返しにより後方の沈砂分は最終的に集砂ピット２０５まで掻き寄せて搬落させることができるものである。こうした中、スライダ２１５はその底部のスライド板２１７をガイドレール２０８上でストロークＳ分スライドすることにより機体２１４を確実かつ円滑に前進させることができるものであるとともに、スライダ２１５の嵌合溝２１６がガイドレール２０８の抜け防止バー２１０に常時係合関係にあるのでスライダ２１５の上方への抜けが阻止され、機体２１４の安定な作動を保障する。【００４４】  一方、図１７ないし図２０の実線状態（掻寄終了状態）から油圧シリンダ２２７が作動してそのロッド２２８を伸長させると、連動杆２２５を後方（図１８の左方向）へ押しやるが、機体２１４の重量が抵抗となって連動杆２２５が先にＲ方向に動作して全てのスクレーパ２２１は水平に持ち上げられ、同スクレーパ２２１がストッパ（図示省略）で水平に角度規定されたあとは、ロッド２２８の力で機体２１４の方がＲ方向へとストロークＳ分復帰させられる。図１７および図１８に仮想線で示す状態が復帰終了の状態である。その間、スクレーパ２２１は持ち上げられているので、沈砂を掻き戻すことはない。【００４５】  その後、油圧シリンダ２２７は逆の引き動作に入るので、連動杆２２５を介して全てのスクレーパ２２１は垂直になったあと、機体２１４はＦ方向に作動してここで掻き寄せを行うことになる。こうしたサイクルを超微速度で繰り返すことで、後方の沈砂であっても前へ前へと段階的に掻き寄せられて最終的には集砂ピット２０５まで持ち込まれ、そのあと吸揚ポンプ２０６により吸揚処理されることになる。【００４６】  尚、油圧シリンダ２２７は、図１８の上流側粗目バースクリーン２０７の下方のスペースを有効利用して設置されているが、図１８の左端に設けたり、他の固定側、例えば、底壁２０３上あるいは同壁２０３内に設けてもよい。
また、ガイドレール２０８は、長尺状の単一本型のものにしてもよい。
さらに、前記スライダ方式においては、スライダ２１５の底面をガイドレール２０８にスライドさせるようにしてあったが、抜け防止バー２１０を少し幅のあるものにして同バー２１０に直接樹脂製スライダ２１５をスライドさせるようにしてもよい。
また、前記スライダ方式は、一定の抵抗力が発生することから前記連動杆２２５の先行した動作を確実にする上で有効であるが、それに代えて動輪方式にしてもよい。
さらに、図１８の２２９は上スクレーパで、前記スクレーパ２２１を主（下）スクレーパとしそれと同じ幅あるいは狭い幅（例えば、中央部分のみ）をもって配備して、沈砂が異常に増量した際に掻き寄せ機能するようにしてもよい。この上スクレーパ２２９はスクレーパ２２１とともに回転運動をする。上スクレーパ２２９は、多孔状、格子状などにして抵抗を少なくしつつ増量時の掻寄機能は確保するようにしてよい。上スクレーパ２２９は、図１８では１個所において図示してあるが、スクレーパ２２１のある個所全てに対して設けることができ、また、スクレーパ２２１のうち選択した数個のもの（例えば、スクレーパ２２１の１つ置きあるいは２つ置きのものに対して）の上側に離間式に配列することもある。
また、油圧シリンダ２２７は、前記増量を検知して掻寄サイクルを平常時よりも短時間に制御するように構成してもよい。
さらに、図１７および図１８では単一の沈砂池を対象に図示してあるが、図１９に例示するように、隣合う沈砂池における沈砂掻寄装置は、図示中央の沈砂掻寄装置が掻寄状態にあるときは逆の復帰状態にあり、図示中央の沈砂掻寄装置が復帰状態にあるときは逆の掻寄状態にあるような関係にすると、集砂ピット２０５からの揚砂後の処理が重複化しない。【００４７】  図２１は他の実施形態を示す。同実施形態は、機体２３０の底面に軸受２３１を設けたもので、２３２はガイドレール、２３３はスライダ、２３４はスクレーパ軸、２３５はスクレーパ、２３６は連動アーム、２３７は連動杆をそれぞれ示す。【００４８】  図２２は、池幅中央を通る単一本型の機体２４０に油圧式掻寄シリンダ２４１により進退自在なスクレーパ２４２付き進退フレーム２４３を装備し、これらを機体２４０上に立設した一対の昇降支柱２４５を介して昇降させるようにしたもので、昇降支柱２４５は、横架材２４６に付した昇降ガイド２４７を介して昇降動作するもので、昇降ロッド２４８を介して池上の昇降駆動源２４９により駆動されるようになっている。昇降駆動源２４９は、バルブコントロールあるいは油圧シリンダなどとすることができる。【００４９】  前記スクレーパ２４２付き進退フレーム２４３は、同図に示す掻寄終了状態から昇降駆動源２４９が持ち上げ作動することにより少しの高さ分持ち上げられたあと掻寄シリンダ２４１が作動して進退フレーム２４３が仮想線矢印Ｒ方向に戻され、そのあと昇降駆動源２４９が下げ動作して機体２４０が降ろされてスクレーパ２４２が池底まで降ろされる。その後、掻寄シリンダ２４１が作動してスクレーパ２４２は実線矢印Ｆ方向に前進し掻寄がなされる。【００５０】  流入水量が増大してくると昇降駆動源２４９の作動で仮想線のように装置全体は上昇されて埋設を避けるようにされるとともに、その後に昇降駆動源２４９が下げ作動して掻寄動作を繰り返しながら昇降駆動源２４９が順次下げ動作することで逐次増量した沈砂分を上から掻寄処理してゆく。尚、２５０は集砂ピット、２５１は揚砂装置である。【００５１】  図２３は一提案例である防寒（温蔵）型小物入れを使用状態において示す斜視図、図２４は同防寒型小物入れの拡大横断面模式図であり、２５４は内巻き地、２５５は外巻き地とされ、内巻き地２５４も外巻き地２５５も同じ材質で、例えば、自然あるいは樹脂との合成布類（織布、不織布）、自然あるいは合成レザー、軟質樹脂シート、ゴムなどが使用される。その他いかなる材料を使用してもよいが非通気質あるいは難通気質のものが防寒上好適である。【００５２】  これらの内巻き地２５４および外巻き地２５５は手の甲周りの周長の略２倍程度の長さで共に略同じ周長とされるとともに幅も略同じ長さとされ、これらが内外二層構造とされて図２３の左右の周側縁ａにおいて縫着されるとともに図の下回り前後の横筋ｂにおいて縫着されている。この縫着により前後には財布やメモ帳、化粧道具、携帯電話器などの携行品類２５６…を入れることのできるポケット２５７，２５７が形成されているとともに、その出し入れのため、外巻き地２５５の上端辺に沿って開閉具２５８（ファスナー）が取着されている。そして、外巻き地２５５の外周全体と内巻き地２５４の内周全体に防寒のための植毛（あるいは起毛）２５９…が施されている。【００５３】  この防寒型小物入れは、図２４に示すように、ポケット２５７内に所要の携行品類２５６…を入れて開閉具２５８を閉止した状態として冬期の寒いときの外出時など使用される。すなわち、図２３に示すように同小物入れはその内胴に左右の手を差し入れて合わせるようにして使用され、こうすることで寒いときも暖かく外出できる訳である。勿論、携行品類２５６の１つとして使い捨ての温熱品を入れることもできる。【００５４】  そして、外出先では図２４に仮想線で示すように開閉具２５８を開くことでポケット２５７内の携行品類２５６をいつでも取出し・使用・収納することができる便利さも持ち合わせている。帰宅すれば防寒型小物入れをそのまま一括収納袋として有効活用することができるだけでなく、地震や津波、洪水などからの避難時にもそのまま持ち出せば非常用袋として機能し得るものである。【００５５】  尚、開閉具２５８の取付位置は、図２４に仮想線で示すように、小物入れにおけるポケット２５７上部に対応する位置としたり、この仮想線位置と実線の上端位置の双方に設ける場合とがある。また、仮想線の前後いずれかと上端位置に設けることもできる。さらに、図２４に仮想線で示すように、小物入れの内底部を内底ポケット２６０として形成して開閉具２５８を設ければ貴重品入れとして利用することができる。【００５６】  また、図２３の小物入れの両端は大きく開口しているが、そこには温蔵化のため通気を遮断する遮風手段（膜状のものなど）を手を通し得るものとして付加することができる。
さらに、開閉具２５８は、上端に単一個所であったが、図２４の右下欄に示すように、ポケット上側に相当する前後２個所に設けてもよい。この場合、小物入れの上端個所は、面ファスナーで分離可能にして小物入れ全体を分離展開できるようにしてもよい。前後の開閉具２５８，２５８は、ポケット２５７に入れられる携行品類が前後いずれに入れられているかを識別する意味で標示（ＡやＢ）を付したりあるいはファスナー自体を色分けしておいてもよい。
また、ポケット開閉用の開閉具２５８は、図２４の右上欄に示すように面ファスナーであってもよい。この場合、面ファスナー２５８の対が、小物入れの内胴径を大小に調節可能な程度の幅の広いものであれば使用する人の手の差込サイズや好みなどに応じて好適な小物入れに変更することができる点で有利である。
さらに、図２４の左欄に示すように、二層構造で適宜に開閉具２５８を備えてその内部にポケット２５７を形成したものを長く１．５回巻きあるいは２回巻きとして面ファスナー２６１で適所を脱着自在としたものにしてもよい。この場合、面ファスナーの位置調節で内胴径を大小に調節することができるし、ポケットをより多く設けることができる。
図２４の左欄および右欄の図例には防寒のための植毛（あるいは起毛）を図示していないが同様に付すものとする。
その一方において、防寒のためには必ずしも植毛（あるいは起毛）手段により対応しないことも明記する。例えば、内巻き地や外巻き地そのものの生地を防寒に好適なものに選択することで可能な場合もある。
また、図２３に仮想線で示すように、この防寒型小物入れは、吊り条材２６３を備えて腕掛けや肩掛けなども可能にしてもよい。ここにおいて、吊り条材２６３は、防寒型小物入れに常備する場合と適宜付加可能にする場合とがあるとともに、図示矢印のように小物入れの内胴スペースに収納可能にすることもできる。
さらに、前記では専ら防寒型としたが、植毛や起毛などの防寒対応手段を備えた生地を小物入れの外面あるいは内面に脱着可能にして冬期以外にも対応できる衣替え方式とすることもできる。
【図面の簡単な説明】
【００５７】
【図１】  本発明の一実施形態を図２のＩ−Ｉ線に沿って示す沈砂掻寄装置の全体縦断面図。
【図２】  図１のＩＩ−ＩＩ線横断面図。
【図３】  図１のＩＩＩ−ＩＩＩ線断面図。
【図４】  他の実施形態を示す側断面図。
【図５】  図４の斜視図。
【図６】  他の実施形態を示す横断面図。
【図７】  図６の正面図。
【図８】  他の実施形態を示す側面図。
【図９】  他の実施形態を示す平面図。
【図１０】  図９の正面図。
【図１１】  他の実施形態を示す側面図。
【図１２】  他の実施形態を示す側面図。
【図１３】  図１２の正面図。
【図１４】  他の実施形態を示す斜視図。
【図１５】  他の実施形態を示す縦断面図。
【図１６】  付加的な提案例を示す斜視図。
【図１７】  図１８の実施形態の横断平面図。
【図１８】  図１７の縦断側面図。
【図１９】  図１８の縦断正面図。
【図２０】  図１７ないし図１９に示す実施形態の要部斜視図。
【図２１】  他の沈砂掻寄装置の例を示す縦断正面図。
【図２２】  他の沈砂掻寄装置の例を示す縦断側面図。
【図２３】  提案例を示す使用状態で示す斜視図。
【図２４】  図２３の小物入れの横断模式図。
【符号の説明】
【００５８】    １…沈砂池  ６…水路  １８…スクレーパ  ２４…駆動源  ３１…昇降駆動源  Ａ…沈砂掻寄装置  Ｔ…沈砂。
【図１】
2008212760.tif 000003
【図２】
2008212760.tif 000004
【図３】
2008212760.tif 000005
【図４】
2008212760.tif 000006
【図５】
2008212760.tif 000007
【図６】
2008212760.tif 000008
【図７】
2008212760.tif 000009
【図８】
2008212760.tif 000010
【図９】
2008212760.tif 000011
【図１０】
2008212760.tif 000012
【図１１】
2008212760.tif 000013
【図１２】
2008212760.tif 000014
【図１３】
2008212760.tif 000015
【図１４】
2008212760.tif 000016
【図１５】
2008212760.tif 000017
【図１６】
2008212760.tif 000018
【図１７】
2008212760.tif 000019
【図１８】
2008212760.tif 000020
【図１９】
2008212760.tif 000021
【図２０】
2008212760.tif 000022
【図２１】
2008212760.tif 000023
【図２２】
2008212760.tif 000024
【図２３】
2008212760.tif 000025
【図２４】
2008212760.tif 000026